(57)【要約】【課題】  床版上面に定着突起を設けずに、安全かつ経済的にＰＣ鋼材を床版に定着させるＰＣ鋼材の定着方法およびプレストレストコンクリート橋を提供すること。【解決手段】  下床版５を形成する際、上面１５に凹部２５を、下面１７に増し厚部１９を、内部にシース２７を設ける。シース２７は、凹部２５の側面２０と他の凹部２５の側面２０との間を貫通する孔である。そして、凹部２５を作業空間として、下床版５の上面１５側から、シース２７にＰＣ鋼材１３を挿入して緊張させる。次に、凹部２５とシース２７との境界付近に配置した定着具２１を用いて、ＰＣ鋼材１３を下床版５に定着させる。さらに、凹部２５に充填材２９を設置して下床版５の表面を平滑にし、定着部２３を完成する。【選択図】図３
2005220593.tif 000002
【特許請求の範囲】
【請求項１】
シースと、前記シースの端部に設けられた空間とを有する床版を形成する工程と、
前記シースにＰＣ鋼材を挿入して緊張させる工程と、
前記空間内に配置した定着具を用いて、前記ＰＣ鋼材を前記床版に定着させる工程と、
前記空間に充填材を設置する工程と、
を具備することを特徴とするＰＣ鋼材の定着方法。
【請求項２】
前記空間は、前記床版の上面に設けられた凹部であることを特徴とする請求項１記載のＰＣ鋼材の定着方法。
【請求項３】
前記空間は、前記床版を上下に貫通する開口部であることを特徴とする請求項１記載のＰＣ鋼材の定着方法。
【請求項４】
前記床版の下面に、増し厚部が設けられることを特徴とする請求項１記載のＰＣ鋼材の定着方法。
【請求項５】
前記床版は、ダブルデッキ橋梁の下床版であることを特徴とする請求項１記載のＰＣ鋼材の定着方法。
【請求項６】
請求項１から請求項５のいずれかに記載されたＰＣ鋼材の定着方法を用いてＰＣ鋼材が設置されたことを特徴とするプレストレストコンクリート橋。
【発明の詳細な説明】
【技術分野】
【０００１】
本発明は、ＰＣ鋼材の定着方法およびプレストレストコンクリート橋に関するものである。
【背景技術】
【０００２】
従来、プレストレストコンクリート橋のＰＣ鋼材は、柱頭部付近で支配的となる負の曲げモーメントに対しては主桁上縁側に、支間中央付近で支配的となる正の曲げモーメントに対しては主桁下縁側に配置される。下縁側のＰＣ鋼材は、通常、下床版の上面またはウェブの内側に製作した定着突起により定着される（例えば、特許文献１参照）。
【０００３】
【特許文献１】特開２００３−０８２６１４号公報
【０００４】
コンクリート橋において橋梁構造の合理化からダブルデッキ断面を採用する際には、主桁重量の軽量化と景観に対する配慮から、主桁構造をトラスまたは開腹構造とすることが望ましい。この場合、ウェブが連続していないため、下縁側のＰＣ鋼材をウェブに定着することができない。よって、下床版の上面または下面に定着突起を設けて、下縁側のＰＣ鋼材を下床版に定着することになる。
【発明の開示】
【発明が解決しようとする課題】
【０００５】
しかしながら、ダブルデッキ断面では、下床版の上面は路面となるため、下床版上面に定着突起を設けると、床版上面の不陸調整を非常に厚くしなければならず、不経済である。また、下床版下面に定着突起を設けると、吊足場による作業床等を設置してＰＣ鋼材の挿入・緊張作業を行うことになり、安全性・経済性の観点から困難が多い。
【課題を解決するための手段】
【０００６】
第１の発明は、シースと、前記シースの端部に設けられた空間とを有する床版を形成する工程と、前記シースにＰＣ鋼材を挿入して緊張させる工程と、前記空間内に配置した定着具を用いて、前記ＰＣ鋼材を前記床版に定着させる工程と、前記空間に充填材を設置する工程とを具備することを特徴とするＰＣ鋼材の定着方法である。
【０００７】
空間とは、床版の上面に設けられた凹部、または、床版を上下に貫通する開口部である。床版のうち、空間を設ける部分やその周囲の下面には、必要に応じて増し厚部が設けられる。床版は、例えばダブルデッキ橋梁の下床版である。充填材には、コンクリート等を用いる。
【０００８】
第１の発明では、床版に設けられたシースに、ＰＣ鋼材を挿入して緊張させる際に、シース端部に設けられた凹部、開口部等の空間を用いる。そして、空間内に配置した定着具を用いてＰＣ鋼材を床版に定着させた後、空間に充填材を設置する。
【０００９】
第２の発明は、第１の発明のＰＣ鋼材の定着方法を用いてＰＣ鋼材が設置されたことを特徴とするプレストレストコンクリート橋である。
第２の発明では、第１の発明のＰＣ鋼材の定着方法によって、ダブルデッキ橋梁の下床版にＰＣ鋼材を定着する。
【発明の効果】
【００１０】
本発明のＰＣ鋼材の定着方法およびプレストレストコンクリート橋は、床版上面に定着突起を設けずに、安全かつ経済的にＰＣ鋼材を床版に定着させることができる。
【発明を実施するための最良の形態】
【００１１】
以下、図面に基づいて、本発明の第１の実施の形態について詳細に説明する。図１は、プレストレストコンクリート橋１を橋軸方向の垂直面で切断した断面図を、図２は、プレストレストコンクリート橋１を橋軸直角方向の垂直面で切断した断面の斜視図を示す。
【００１２】
図１、図２に示すように、プレストレストコンクリート橋１は、上床版３、下床版５、斜材７、路面９、路面１１、ＰＣ鋼材１３、定着部２３等で構成される。上床版３、下床版５は、コンクリートである。斜材７は、鋼管等である。ＰＣ鋼材１３は、ＰＣ鋼棒、ＰＣ鋼より線等である。斜材７は、上床版３と下床版５を連結する。路面９は上床版３の上面に、路面１１は下床版５の上面１５に設けられる。
【００１３】
図３は、定着部２３を橋軸方向の垂直面で切断した断面図、図４は、定着部２３を橋軸直角方向の垂直面で切断した断面図を示す。図３は、図１の定着部２３付近の拡大図、図４は、図３のＡ−Ａによる断面図である。
【００１４】
下床版５にプレストレスを導入するには、下床版５を形成する際に、図１から図３に示すように、上面１５に凹部２５を、下面１７に増し厚部１９を、内部にシース２７を設けておく。
【００１５】
凹部２５は、下床版５の上面１５が開口した箱抜き部である。凹部２５は、例えば、支間内の４ヶ所に設けられる。４ヶ所の内訳は、図１に示すように、橋軸方向の同一線上に２ヶ所、図２に示すように、橋軸直角方向の同一線上に２ヶ所である。増し厚部１９は、凹部２５の深さ２４を確保するために下床版５の厚さを下面１７側に増したものであり、下床版５と一体にコンクリートで形成される。
【００１６】
図３に示すように、シース２７は、ＰＣ鋼材１３を設置するための孔であり、ある凹部２５の側面２０と、橋軸方向の同一線上に設けられた他の凹部２５の側面２０との間を貫通するように形成される。図２に示すように、下床版５内には、複数本のシース２７が平行に配置される。
【００１７】
下床版５を図２に示すように形成した後、図３に示すように、凹部２５を作業空間として、下床版５の上面１５側から、シース２７の内部にＰＣ鋼材１３を挿入し、緊張させる。そして、シース２７と凹部２５の境界部付近に設置した定着具２１でＰＣ鋼材１３を固定する。さらに、図１、図４に示すように、凹部２５に充填材２９を充填して、定着部２３を完成する。充填材２９は、例えばコンクリートである。
【００１８】
定着部２３を完成した後、図１に示すように、下床版５の上面１５に路面１１を形成する。また、斜材７、上床版３、路面９等を適宜形成して、プレストレストコンクリート橋１を完成する。
【００１９】
このように、第１の実施の形態では、定着部２３の形成後、下床版５の上面１５に定着突起が存在せず、必要以上の不陸調整を行うことなく路面１１を施工できる。これにより、橋梁全体の重量軽減に伴う経済性の向上が見込まれる。また、増し厚部１９は下床版５と一体打ちされるので、コンクリートの色違いなどが起こりにくい。
【００２０】
定着部２３の施工時には、下床版５の上面１５に設けた凹部２５を用いて、下床版５の上面１５側からＰＣ鋼材１３の挿入・緊張・定着を行うことができる。また、下床版５の下面１７に増し厚部１９が設けられ、凹部２５の下面が開口していないため、ＰＣ鋼材１３の挿入・緊張・定着を下床版５上から行う際、下床版５の下方の安全性が確保される。このため、作業床等を別途設置して施工する場合に比べて、安全性・作業性・経済性において優位である。
【００２１】
なお、定着部２３の設置位置や設置数、定着部２３内で定着させるＰＣ鋼材１３の本数は、上述したものでなくてもよい。また、定着部２３を形成するための凹部２５や増し厚部１９の形状は、図３に示したものに限らず、定着具の大きさや形状に応じて設定する。
【００２２】
図５は、他の定着部２３ａを橋軸方向の垂直面で切断した断面図である。図５に示す定着部２３ａでは、定着具２１より大きな定着具２１ａが用いられる。定着部２３ａを図５に示すＢ−Ｂで切断した断面の形状は、例えば図４に示す定着部２３の断面と同様である。
【００２３】
定着部２３ａの凹部２５ａ、増し厚部１９ａ、シース２７ａ、ＰＣ鋼材１３ａ、定着具２１ａ、充填材２９ａは、図３に示す定着部２３の凹部２５、増し厚部１９、シース２７、ＰＣ鋼材１３、定着具２１、充填材２９に相当する。凹部２５ａ、増し厚部１９ａは、深さ２４ａが凹部２５の深さ２４より深くなるように形成される。
【００２４】
定着部２３ａでは、下床版５の下面１７に、凹部２５ａを形成するための増し厚部１９ａに連続して、定着具２１ａやシース２７ａを設置するための増し厚部３３が設けられる。シース２７ａは、図１や図３に示すシース２７のような直線状ではなく、増し厚部３３内の部分が下方に傾斜するように配置される。増し厚部１９ａ、増し厚部３３は、下床版５と一体に打設される。同時に、下床版５には、凹部２５ａ、シース２７ａが形成される。
【００２５】
定着部２３ａでは、定着部２３と同様に、凹部２５ａを作業空間として、下床版５の上面１５側から、シース２７ａの内部にＰＣ鋼材１３ａを挿入し、緊張させる。そして、シース２７ａと凹部２５ａの境界部付近に設置した定着具２１ａでＰＣ鋼材１３ａを固定する。さらに、図４、図５に示すように、凹部２５ａに充填材２９ａを充填する。
【００２６】
定着部２３ａを用いた場合にも、下床版５の上面１５に定着突起が存在せず、必要以上の不陸調整を行うことなく路面１１を施工できる。また、増し厚部１９ａ、増し厚部３３は下床版５と一体打ちされるので、コンクリートの色違いなどが起こりにくい。さらに、下床版５の下面１７に増し厚部１９ａが設けられ、凹部２５ａの下面が開口していないため、ＰＣ鋼材１３ａの挿入・緊張・定着を下床版５上から行う際、下床版５の下方の安全性が確保される。
【００２７】
次に、第２の実施の形態について説明する。図６は、プレストレストコンクリート橋３１を橋軸直角方向の垂直面で切断した断面の斜視図を示す。
【００２８】
図６に示すプレストレストコンクリート橋３１は、図１等に示すプレストレストコンクリート橋１と同様の上床版３、下床版５、斜材７、路面９、路面１１、ＰＣ鋼材１３と、定着部２３ｂ等から構成される。プレストレストコンクリート橋３１では、定着部２３ｂの構造がプレストレストコンクリート橋１の定着部２３とは異なる。
【００２９】
図７は、定着部２３ｂを橋軸方向の垂直面で切断した断面図、図８は、定着部２３ｂを橋軸直角方向の垂直面で切断した断面図を示す。図８は、図７のＣ−Ｃによる断面図である。
【００３０】
下床版５にプレストレスを導入するには、下床版５を形成する際に、図７、図８に示すように、開口部３５、シース２７を設けておく。開口部３５は、図３に示す定着部２３の凹部２５に相当するものであり、下床版５を上下に貫通する箱抜き部である。開口部３５は、例えば、第１の実施の形態の凹部２５と同様に、支間内の４ヶ所に設けられる。
【００３１】
図７に示すように、シース２７は、ある開口部３５の側面２０ｂと、橋軸方向の同一線上に設けられた他の開口部３５の側面２０ｂとの間を貫通するように設けられる。図６に示すように、下床版５内には、複数本のシース２７が平行に形成される。
【００３２】
下床版５を図６に示すように形成した後、図７に示すように、開口部３５を作業空間として、下床版５の上面１５側から、シース２７の内部にＰＣ鋼材１３を挿入し、緊張させる。そして、シース２７と凹部２５の境界部付近に設置した定着具２１でＰＣ鋼材１３を固定する。さらに、図８に示すように、開口部３５に充填材２９ｂを充填して、定着部２３ｂを完成する。
【００３３】
定着部２３ｂを完成した後、図１に示すプレストレストコンクリート橋１と同様に、下床版５の上面１５に路面１１を形成する。また、斜材７、上床版３、路面９等を適宜形成して、プレストレストコンクリート橋３１を完成する。
【００３４】
このように、第２の実施の形態では、定着部２３ｂの形成後、下床版５の上面１５に定着突起が存在せず、必要以上の不陸調整を行うことなく路面１１を施工できる。これにより、橋梁全体の重量軽減に伴う経済性の向上が見込まれる。また、施工時には、下床版５を上下に貫通する開口部３５を用いて、下床版５の上面１５側からＰＣ鋼材１３の挿入・緊張・定着を行うことができる。このため、作業床等を別途設置する場合に比べて、安全性・作業性・経済性において優位である。
【００３５】
なお、定着部２３ｂの設置位置や設置数、定着部２３ｂ内で定着させるＰＣ鋼材１３の本数は、上述したものでなくてもよい。また、定着具の大きさや形状に応じて、下床版５の下面１７に増し厚部を設けてもよい。
【００３６】
図９は、他の定着部２３ｃを橋軸方向の垂直面で切断した断面図、図１０は、定着部２３ｃを橋軸直角方向の垂直面で切断した断面図を示す。図１０は、図９のＤ−Ｄによる断面図である。図９、図１０に示す定着部２３ｃでは、定着具２１より大きな定着具２１ａが用いられる。
【００３７】
定着部２３ｃの開口部３５ａ、シース２７ａ、ＰＣ鋼材１３ａ、定着具２１ａ、充填材２９ａは、図７、図８に示す定着部２３ｂの開口部３５、シース２７、ＰＣ鋼材１３、定着具２１、充填材２９に相当する。開口部３５ａは、下床版５を上下に貫通する箱抜き部である。
【００３８】
定着部２３ｃでは、下床版５の開口部３５ａ周辺の下面１７に、シース２７ａや定着具２１ａを設置するための増し厚部３３ａが設けられる。シース２７ａは、図１や図３に示すシース２７のような直線状ではなく、増し厚部３３ａ内の部分が下方に傾斜するように配置される。増し厚部３３ａは下床版５と一体に打設される。同時に、下床版５には、開口部３５ａ、シース２７ａが形成される。
【００３９】
定着部２３ｃでは、定着部２３ｂと同様に、開口部３５ａを作業空間として、下床版５の上面１５側から、シース２７ａの内部にＰＣ鋼材１３ａを挿入し、緊張させる。そして、シース２７ａと開口部３５ａの境界部付近に設置した定着具２１ａでＰＣ鋼材１３ａを固定する。さらに、図９、図１０に示すように、開口部３５ａに充填材２９ｃを充填する。
【００４０】
定着部２３ｃを用いた場合にも、下床版５の上面１５に定着突起が存在せず、必要以上の不陸調整を行うことなく路面１１を施工できる。また、施工時には、下床版５を上下に貫通する開口部３５ａを用いて、下床版５上からＰＣ鋼材１３ａの挿入・緊張・定着を行うことができる。
【００４１】
以上、添付図面を参照しながら本発明にかかるＰＣ鋼材の定着方法およびプレストレストコンクリート橋の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００４２】
【図１】プレストレストコンクリート橋１を橋軸方向の垂直面で切断した断面図
【図２】プレストレストコンクリート橋１を橋軸直角方向の垂直面で切断した断面の斜視図
【図３】定着部２３を橋軸方向の垂直面で切断した断面図
【図４】定着部２３を橋軸直角方向の垂直面で切断した断面図
【図５】他の定着部２３ａを橋軸方向の垂直面で切断した断面図
【図６】プレストレストコンクリート橋３１を橋軸直角方向の垂直面で切断した断面の斜視図
【図７】定着部２３ｂを橋軸方向の垂直面で切断した断面図
【図８】定着部２３ｂを橋軸直角方向の垂直面で切断した断面図
【図９】他の定着部２３ｃを橋軸方向の垂直面で切断した断面図
【図１０】他の定着部２３ｂを橋軸直角方向の垂直面で切断した断面図
【符号の説明】
【００４３】
１、３１………プレストレストコンクリート橋
３………上床版
５………下床版
１３、１３ａ………ＰＣ鋼材
１７………下面
１９、１９ａ、３３、３３ａ………増し厚部
２１、２１ａ………定着具
２３、２３ａ、２３ｂ、２３ｃ………定着部
２５、２５ａ………凹部
２７、２７ａ………シース
２９、２９ａ、２９ｂ、２９ｃ………充填材
３５、３５ａ………開口部
【図１】
2005220593.tif 000003
【図２】
2005220593.tif 000004
【図３】
2005220593.tif 000005
【図４】
2005220593.tif 000006
【図５】
2005220593.tif 000007
【図６】
2005220593.tif 000008
【図７】
2005220593.tif 000009
【図８】
2005220593.tif 000010
【図９】
2005220593.tif 000011
【図１０】
2005220593.tif 000012